(57)【要約】【課題】可動弁体が固定弁体の通水路を開放している状態から閉止する間際の状態において、固定弁体の通水路内の通水の流速が上昇することを抑制し、乱れた水流による異音の発生を効果的に抑制することができる湯水混合バルブ装置を提供する。【解決手段】本発明の湯水混合バルブ装置１は、通湯路１２ａ、通水路１２ｂ及び湯水混合路１２ｃが形成された固定弁体１２と、この固定弁体に対して摺動することにより固定弁体の通湯路及び通水路を開閉する可動弁体１０と、可動弁体を固定弁体に対して移動させることにより、可動弁体を開閉させて吐水と止水の切り替えや湯水混合路を通過する湯水の温度調節を操作する操作部２０と、を有し、固定弁体の通水路には、その流路断面積を変化させるように段状に段差部２８が形成され、この段差部は、通過する水の流速の上昇を抑制する流速上昇抑制手段３２を備えている。【選択図】図９
2015124819.tif 000002
【特許請求の範囲】
【請求項１】
湯水混合水栓に組み込まれ、給湯源から供給される湯と給水源から供給される水とを混合した湯水を吐止水する湯水混合バルブ装置であって、
湯水混合水栓の吐水口の上流側に設けられたケーシングと、
このケーシング内に固定され、給湯源から供給された湯が流入する通湯路及び給水源から供給された水が通過する通水路が形成されると共に、上記通水路及び上記通湯路を通過した湯水が通過する湯水混合路が形成された固定弁体と、
上記ケーシング内に配置されて上記固定弁体に対して摺動することにより上記固定弁体の通湯路及び通水路を開閉する可動弁体と、
上記可動弁体を上記固定弁体に対して移動させることにより、上記可動弁体を開閉させて吐水と止水の切り替えや上記湯水混合路を通過する湯水の温度調節を操作する操作部と、を有し、
上記固定弁体の通水路には、その流路断面積を変化させるように段状に段差部が形成され、この段差部は、通過する水の流速の上昇を抑制する流速上昇抑制手段を備えていることを特徴とする湯水混合バルブ装置。
【請求項２】
上記流速上昇抑制手段は、上記段差部の角部が面取りされた面取り部である請求項１記載の湯水混合バルブ装置。
【請求項３】
上記流速上昇抑制手段は、上記固定弁体の通水路の出口部から上記段差部の入口部までの深さ方向の最大距離が上記段差部の入口部から出口部までの奥行方向の最大距離よりも大きくなるように設定する請求項１又は２に記載の湯水混合バルブ装置。
【請求項４】
上記固定弁体は、平面視において、その湯水混合路が外側方向に開放されるように上記固定弁体の外周の一部を切り欠いた形状に形成する切欠き部を備えている請求項３記載の湯水混合バルブ装置。
【請求項５】
上記可動弁体は、上記固定弁体の通湯路及び通水路のそれぞれを通過した湯と水を連通させて上記固定弁体の湯水混合路へ流出させる湯水連通部を備え、この湯水連通部には、通過する湯水を整流させる整流部材が設けられている請求項１乃至４の何れか１項に記載の湯水混合バルブ装置。
【請求項６】
上記整流部材は、上記可動弁体の湯水連通部の一端部に取り付けられ且つその内部に上記湯水連通部と連通する内部流路を形成する取付部と、この取付部から上記湯水連通部の内部に向かって軸方向に突出し且つ周方向に所定間隔を置いて櫛型形状に形成された櫛型形状部と、を備えている請求項５記載の湯水混合バルブ装置。
【請求項７】
上記整流部材は、上記取付部の上記内部流路を形成する面がほぼ球面状に形成されている請求項６記載の湯水混合バルブ装置。
【請求項８】
更に、上記可動弁体に取り付けられ且つ上記操作部の操作に連動して上記可動弁体の移動をガイドするガイド部材を有し、上記整流部材は、更に、上記取付部の外側から軸方向に筒状に突出し且つ上記ガイド部材の軸方向に貫く嵌合穴に挿入されて嵌合される嵌合部を備え、この嵌合部の筒状に突出する部分は、上記操作部の一端部が挿入して取り付けられる内周面を形成し、この内周面には、上記操作部の一端部が挿入して取り付けられた際に、上記操作部の一端部と弾性的に接触可能な接触部が設けられている請求項６又は７に記載の湯水混合バルブ装置。
【発明の詳細な説明】
【技術分野】
【０００１】
本発明は、湯水混合バルブ装置に係り、特に、湯水混合水栓に組み込まれ、給湯源から供給される湯と給水源から供給される水とを混合した湯水を吐止水する湯水混合バルブ装置に関する。
【背景技術】
【０００２】
従来から、湯水混合水栓に組み込まれ、給湯源から供給される湯と給水源から供給される水とを混合した湯水を吐止水する湯水混合バルブ装置として、例えば、特許文献１に記載されているように、シングルレバー式の湯水混合水栓の内部に設けられ、給湯源から供給される湯と給水源から供給される水をそれぞれ通過させる通湯路及び通水路が形成された固定弁体と、この固定弁体に対して摺動可能に取り付けられて湯水連通部を形成する可動弁体と、この可動弁体を移動させて開閉する操作レバーとを備え、操作レバーを使用頻度が高い湯水混合水栓の正面位置で吐水操作すると、固定弁体の通湯路を閉鎖した状態で通水路のみを開放し、水のみを吐水することができるようになっているものが知られている。
このような従来の湯水混合バルブ装置においては、可動弁体がケーシング内に設けられ、このケーシング内の可動弁体は、操作レバーに連結されている操作ロッドに接続されており、操作レバー及び操作ロッド（操作部）の上下方向の回動操作（可動弁体の開閉操作）に応じて可動弁体を固定弁体に対して摺動させることにより、吐止水を切り替える操作や吐水量を調節する操作を行うことができると共に、操作レバー及び操作ロッド（操作部）の左右方向の回動操作に応じて可動弁体を固定弁体に対して摺動させ、吐水の温度調節を行うことができるようになっている。
【先行技術文献】
【特許文献】
【０００３】
【特許文献１】特開２０１２−２３４６号公報
【発明の概要】
【発明が解決しようとする課題】
【０００４】
しかしながら、上述した従来の湯水混合バルブ装置においては、特に、操作レバーを使用頻度の高い正面位置で吐水操作している状態から止水操作を開始し、可動弁体が固定弁体の通水路を開放している状態から閉止する間際の状態になると、固定弁体の通水路の出口近傍の流路が極端に狭まるため、この狭まった流路を通過する水の流速が急激に増加することにより、水流の乱れや、キャビテーション等の現象が生ずる。そして、このような水流の乱れやキャビテーションは、高周波の異音が発生する要因にもなるため、これらをいかに抑制するかということが、従来から要請された課題となっている。
【０００５】
そこで、本発明は、上述した従来から要請された課題を解決するためになされたものであり、可動弁体が固定弁体の通水路を開放している状態から閉止する間際の状態において、固定弁体の通水路内の通水の流速が上昇することを抑制し、異音の発生を効果的に抑制することができる湯水混合バルブ装置を提供することを目的としている。
【課題を解決するための手段】
【０００６】
上記の目的を達成するために、本発明は、湯水混合水栓に組み込まれ、給湯源から供給される湯と給水源から供給される水とを混合した湯水を吐止水する湯水混合バルブ装置であって、湯水混合水栓の吐水口の上流側に設けられたケーシングと、このケーシング内に固定され、給湯源から供給された湯が流入する通湯路及び給水源から供給された水が通過する通水路が形成されると共に、上記通水路及び上記通湯路を通過した湯水が通過する湯水混合路が形成された固定弁体と、上記ケーシング内に配置されて上記固定弁体に対して摺動することにより上記固定弁体の通湯路及び通水路を開閉する可動弁体と、上記可動弁体を上記固定弁体に対して移動させることにより、上記可動弁体を開閉させて吐水と止水の切り替えや上記湯水混合路を通過する湯水の温度調節を操作する操作部と、を有し、上記固定弁体の通水路には、その流路断面積を変化させるように段状に段差部が形成され、この段差部は、通過する水の流速の上昇を抑制する流速上昇抑制手段を備えていることを特徴としている。
このように構成された本発明においては、固定弁体の通水路内の水が段差部を通過する際、流速上昇抑制手段により水の流速の上昇を抑制することができる。特に、例えば、可動弁体が固定弁体の通水路を開放している状態から閉止する間際の状態において、固定弁体の通水路内を通過する水の流路が絞られて流速が上昇し、水流の乱れやキャビテーション等による異音が発生することを効果的に抑制することができる。
【０００７】
本発明において、好ましくは、上記流速上昇抑制手段は、上記段差部の角部が面取りされた面取り部である。
このように構成された本発明においては、固定弁体の通水路における段差部の角部が面取りされた面取り部を流速上昇抑制手段としているため、面取り部により段差部の角部が面取りされた分だけ、可動弁体が固定弁体の通水路を閉止する間際の状態において、流路を拡大させることができる。したがって、可動弁体が固定弁体の通水路を開放している状態から閉止する間際の状態において、固定弁体の通水路内を通過する水の流路が絞られて流速が上昇し、水流の乱れや、キャビテーション等による異音が発生することを効果的に抑制することができる。
【０００８】
本発明において、好ましくは、上記流速上昇抑制手段は、上記固定弁体の通水路の出口部から上記段差部の入口部までの深さ方向の最大距離が上記段差部の入口部から出口部までの奥行方向の最大距離よりも大きくなるように設定する。
このように構成された本発明においては、流速上昇抑制手段により、固定弁体の通水路の出口部から固定弁体の通水路の段差部の入口部までの深さ方向の最大距離が固定弁体の通水路の段差部の入口部から出口部までの奥行方向の最大距離よりも大きく設定されているため、可動弁体が固定弁体の通水路を閉止する間際の状態において、流路を拡大させることができる。したがって、可動弁体が固定弁体の通水路を開放している状態から閉止する間際の状態において、固定弁体の通水路内を通過する水の流路が絞られて流速が上昇し、水流の乱れやキャビテーション等による異音が発生することを効果的に抑制することができる。
【０００９】
本発明において、好ましくは、上記固定弁体は、平面視において、その湯水混合路が外側方向に開放されるように上記固定弁体の外周の一部を切り欠いた形状に形成する切欠き部を備えている。
このように構成された本発明においては、固定弁体が、平面視において、湯水混合路が外側方向に開放されるように固定弁体の外周の一部を切り欠いた形状に形成する切欠き部を備えていることにより、固定弁体全体を小型化することができると共に、固定弁体の湯水混合路を十分に確保して湯水の流量を確保することができる。また、固定弁体を小型化しても、固定弁体の湯水混合路の流路を十分に確保することができるため、固定弁体の小型化によって固定弁体の湯水混合路の流路が狭くなり、流速が上昇し、水流の乱れやキャビテーション等によって異音が発生することを効果的に抑制することができる。
【００１０】
本発明において、好ましくは、上記可動弁体は、上記固定弁体の通湯路及び通水路のそれぞれを通過した湯と水を連通させて上記固定弁体の湯水混合路へ流出させる湯水連通部を備え、この湯水連通部には、通過する湯水を整流させる整流部材が設けられている。
このように構成された本発明においては、固定弁体の通湯路及び通水路のそれぞれを通過した湯と水が、可動弁体の湯水連通部で連通すると共に、整流部材により整流化された状態で固定弁体の湯水混合路に流れるため、流速が上昇して水流の乱れやキャビテーション等が発生することをより効果的に抑制することができる。したがって、このような現象に起因する異音の発生をより効果的に抑制することができる。
【００１１】
本発明において、好ましくは、上記整流部材は、上記可動弁体の湯水連通部の一端部に取り付けられ且つその内部に上記湯水連通部と連通する内部流路を形成する取付部と、この取付部から上記湯水連通部の内部に向かって軸方向に突出し且つ周方向に所定間隔を置いて櫛型形状に形成された櫛型形状部と、を備えている。
このように構成された本発明においては、固定弁体の通湯路及び通水路のそれぞれを通過して可動弁体の湯水連通部に流入した湯と水が、整流部材の櫛型形状部を通過することにより整流化され、整流部材の取付部の内部流路を通過して固定弁体の湯水混合路に流れるため、流速が上昇して水流の乱れやキャビテーション等が発生することをさらに効果的に抑制することができる。したがって、このような現象に起因する異音の発生をさらに効果的に抑制することができる。
【００１２】
本発明において、好ましくは、上記整流部材は、上記取付部の上記内部流路を形成する面がほぼ球面状に形成されている。
このように構成された本発明においては、整流部材の取付部の内部流路を形成する面がほぼ球面状に形成されているため、固定弁体の通湯路及び通水路のそれぞれを通過して可動弁体の湯水連通部に流入した湯と水が整流部材の取付部の内部流路を通過する際に、この内部流路のほぼ球面状に形成された面により、水流の乱れやキャビテーション等が発生することをさらに効果的に抑制することができる。したがって、このような現象に起因する異音の発生をさらに効果的に抑制することができる。
【００１３】
本発明において、好ましくは、更に、上記可動弁体に取り付けられ且つ上記操作部の操作に連動して上記可動弁体の移動をガイドするガイド部材を有し、上記整流部材は、更に、上記取付部の外側から軸方向に筒状に突出し且つ上記ガイド部材の軸方向に貫く嵌合穴に挿入されて嵌合される嵌合部を備え、この嵌合部の筒状に突出する部分は、上記操作部の一端部が挿入して取り付けられる内周面を形成し、この内周面には、上記操作部の一端部が挿入して取り付けられた際に、上記操作部の一端部と弾性的に接触可能な接触部が設けられている。
このように構成された本発明においては、可動弁体の移動をガイドするガイド部材の嵌合穴に整流部材の嵌合部を嵌合し、この整流部材の嵌合部の筒状に突出する部分の内周面に操作部の一端部を挿入することにより、整流部材の嵌合部の内周面の接触部と操作部の一端部とを弾性的に接触させることができる。したがって、操作部を操作した際、操作部の一端部と弾性的に接触している整流部材の嵌合部とのがたつきを抑制することできる。また、操作部を操作した際、整流部材ががたつくことなく操作部と共に移動することができるため、この整流部材の嵌合部と嵌合するガイド部材と、このガイド部材に取り付けられた可動弁体のそれぞれが一体的に操作部の操作に連動して精度よく移動することができる。
【発明の効果】
【００１４】
本発明の湯水混合水栓装置によれば、可動弁体が固定弁体の通水路を開放している状態から閉止する間際の状態において、固定弁体の通水路内の通水の流速が上昇することを抑制し、乱れた水流による異音の発生を効果的に抑制することができる。
【図面の簡単な説明】
【００１５】
【図１】本発明の第１実施形態による湯水混合バルブ装置が組み込まれた湯水混合水栓装置を斜め前方から見た概略斜視図である。
【図２】本発明の第１実施形態による湯水混合バルブ装置が組み込まれた湯水混合水栓装置の概略平面図であり、湯のみを吐水させる湯側操作領域、水のみを吐水させる水側操作領域、及び混合湯水を吐水させる湯水混合操作領域を概略的に説明した図である。
【図３】本発明の第１実施形態による湯水混合バルブ装置が組み込まれた湯水混合水栓装置を示す正面断面図である。
【図４】本発明の第１実施形態による湯水混合バルブ装置を示す分解斜視図である。
【図５】本発明の第１実施形態による湯水混合バルブ装置の固定弁体を示す平面図である。
【図６】本発明の第１実施形態による湯水混合バルブ装置の固定弁体及び可動弁体において、操作ハンドル及び操作レバー部材を水側操作領域内の湯水混合操作領域側の操作位置（湯水混合水栓装置の正面位置）に設定し、可動弁体を全開させた状態を示す平面図である。
【図７】本発明の第１実施形態による湯水混合バルブ装置の固定弁体及び可動弁体において、操作ハンドル及び操作レバー部材を水側操作領域内の湯水混合操作領域側の操作位置（湯水混合水栓装置の正面位置）に設定し、可動弁体を全開させた状態から閉弁する方向に移動させ、固定弁体の通水路が閉止される間際で流路が絞られている状態を示す平面図である。
【図８】図５のＶＩＩＩ−ＶＩＩＩ線に沿った断面図である。
【図９】図８のＡ部拡大図である。
【図１０】本発明の第１実施形態による湯水混合バルブ装置の整流部材を斜め上方から見た斜視図である。
【図１１】本発明の第１実施形態による湯水混合バルブ装置の整流部材を示す正面図である。
【図１２】図１１のＸＩＩ−ＸＩＩ線に沿った断面図である。
【図１３】本発明の第２実施形態による湯水混合バルブ装置を示す分解斜視図である。
【図１４】本発明の第２実施形態による湯水混合バルブ装置の固定弁体を示す平面図である。
【図１５】図１４のＸＶ−ＸＶ線に沿った断面図である。
【図１６】図１５のＢ部拡大図である。
【図１７】本発明の第２実施形態による湯水混合バルブ装置の固定弁体及び可動弁体において、操作ハンドル及び操作レバー部材を水側操作領域内の最も湯側の操作位置に設定し、可動弁体を全開させた状態を示す平面図である。
【図１８】本発明の第２実施形態による湯水混合バルブ装置の固定弁体及び可動弁体において、操作ハンドル及び操作レバー部材を水側操作領域内の最も湯側の操作位置に設定し、可動弁体を全開させた状態から閉弁する方向に移動させ、固定弁体の通水路が閉止される間際で流路が絞られている状態を示す平面図である。
【図１９】本発明の第３実施形態による湯水混合バルブ装置の固定弁体の通水路における段差部を示す、図１６と同様な拡大図である。
【発明を実施するための形態】
【００１６】
以下、図１〜図１２を参照して、本発明の第１実施形態による湯水混合水栓装置について説明する。
まず、図１は、本発明の第１実施形態による湯水混合バルブ装置が組み込まれた湯水混合水栓装置を斜め前方から見た概略斜視図である。
図１に示すように、本発明の第１実施形態による湯水混合バルブ装置１が組み込まれた湯水混合水栓装置２は、給湯源（図示せず）から供給される湯と給水源（図示せず）から供給される水を混合し、１つの操作ハンドル４を操作することにより湯水の流量と温度を調整した湯水をスパウト６の吐水口６ａから吐止水することができる、いわゆる、シングルレバー式の湯水混合水栓装置である。
【００１７】
すなわち、湯水混合水栓装置２は、台所のシンク又は洗面台のカウンター８上に配置され、操作ハンドル４を上方（図１に示されている矢印「開」の方向）に回動操作した場合には、スパウト６の吐水口６ａから吐出される湯水を吐水状態に設定することができるようになっており、操作ハンドル４をより上方に回動させた位置に設定する程、スパウト６の吐水口６ａから吐出される湯水の流量を大きく設定することができるようになっている。
一方、操作ハンドル４を最も下方（図１に示されている矢印「閉」の方向）の位置に回動操作した場合には、スパウト６の吐水口６ａから吐出される湯水を止水状態に設定することができるようになっている。
【００１８】
また、操作ハンドル４を湯水混合水栓装置１の鉛直方向の中心軸線Ａ１を中心に図１の矢印「Ｃ」の水平方向（図１に示されている右側水平方向）に回動操作した場合には、スパウト６の吐水口６ａから吐出される湯水の温度を低温側に設定することができるようになっている。
一方、操作ハンドル４を中心軸線Ａ１を中心に図１の矢印「Ｈ」の水平方向（図１に示されている左側水平方向）に回動操作した場合には、スパウト６の吐水口６ａから吐出される湯水の温度を高温側に設定することができるようになっている。
なお、本実施形態の湯水混合バルブ装置１については、台所のシンク又は洗面台のカウンター８等の水平な平面上に設置される湯水混合水栓装置に適用する場合に限られず、鉛直方向に延びる壁面に設置される湯水混合水栓装置に適用してもよい。
【００１９】
つぎに、図２は、本発明の第１実施形態による湯水混合バルブ装置が組み込まれた湯水混合水栓装置の概略平面図であり、湯のみを吐水させる湯側操作領域、水のみを吐水させる水側操作領域、及び混合湯水を吐水させる湯水混合操作領域を概略的に説明した図であり、図３は、本発明の第１実施形態による湯水混合バルブ装置が組み込まれた湯水混合水栓装置を示す正面断面図である。
【００２０】
図２に示すように、操作ハンドル４が水平方向に回動操作される操作領域Ｒは、湯側操作領域Ｒ１、水側操作領域Ｒ２及び湯水混合操作領域Ｒ３からなる。
図１〜図３に示すように、湯側操作領域Ｒ１は、操作ハンドル４を湯側（図１及び図２に示す矢印Ｈの方向）に回動操作した操作位置Ｐ１にあるときに、詳細は後述する湯水混合バルブ装置１の可動弁体１０が、詳細は後述する湯水混合バルブ装置１の固定弁体１２の通湯路１２ａのみを開放し、固定弁体１２の通湯路１２ａから、可動弁体１０のほぼ中央部を軸方向に貫くように形成された湯水連通部１０ａへ湯のみを流入させ、湯水混合水栓装置２の吐水口６ａから湯のみを吐水させる操作領域である。
【００２１】
また、図１〜図３に示すように、水側操作領域Ｒ２は、操作ハンドル４を水側（図１及び図２に示す矢印Ｃの方向）に回動操作した操作位置Ｐ２にあるときに、可動弁体１０が固定弁体１２の通水路１２ｂのみを開放して固定弁体１２の通水路１２ｂから可動弁体１０の湯水連通部１０ａへ水のみを流入させて湯水混合水栓装置２の吐水口６ａから水のみを吐水させる操作領域である。
【００２２】
さらに、図１〜図３に示すように、湯水混合操作領域Ｒ３は、操作ハンドル４を湯水混合水栓装置２の正面側のほぼ中央の操作位置Ｐ３から湯側操作領域Ｒ１に向って湯側（図１及び図２に示す矢印Ｈの方向）に回動操作したときに、湯側操作領域Ｒ１と水側操作領域Ｒ２との間に位置し且つ可動弁体１０が固定弁体１２の通湯路１２ａ及び通水路１２ｂを開放し、固定弁体１２の通湯路１２ａ及び通水路１２ｂのそれぞれから可動弁体１０の湯水連通部１０ａへ湯と水のそれぞれを流入させて混合した湯水を湯水混合水栓装置２の吐水口６ａから吐水させる操作領域である。
【００２３】
なお、本実施形態においては、水側操作領域Ｒ２内の湯水混合操作領域Ｒ３側の領域が、湯水混合水栓装置２の使用頻度が高い正面側の領域に位置しており、操作ハンドル４を正面側のほぼ中央の操作位置Ｐ３、すなわち、湯水混合水栓装置２の正面位置に操作したときにも、湯水混合水栓装置２の吐水口６ａから水のみが吐水されるようになっている。
【００２４】
つぎに、図２〜図１２により、本発明の第１実施形態による湯水混合バルブ装置の詳細について説明する。
まず、図４は、本発明の第１実施形態による湯水混合バルブ装置を示す分解斜視図である。
図３及び図４に示すように、本実施形態による湯水混合バルブ装置１は、下方から上方に向って、下側シール部材１３ａ、下側ケーシング部材１４、内部シール部材１３ａ，１３ｂ、固定弁体１２、可動弁体１０、整流部材１５、可動弁体ガイド部材１６、操作レバー下側保持部材１８、操作レバー部材２０、シール部材２２、上側ケーシング部材２４及び操作レバー上側接続部材２６を備えている。
【００２５】
つぎに、図５は、本発明の第１実施形態による湯水混合バルブ装置の固定弁体を示す平面図である。
また、図６は、本発明の第１実施形態による湯水混合バルブ装置の固定弁体及び可動弁体において、操作ハンドル及び操作レバー部材を水側操作領域内の湯水混合操作領域側の操作位置（湯水混合水栓装置の正面位置）に設定し、可動弁体を全開させた状態を示す平面図である。
さらに、図７は、本発明の第１実施形態による湯水混合バルブ装置の固定弁体及び可動弁体において、操作ハンドル及び操作レバー部材を水側操作領域内の湯水混合操作領域側の操作位置（湯水混合水栓装置の正面位置）に設定し、可動弁体を全開させた状態から閉弁する方向に移動させ、固定弁体の通水路が閉止される間際で流路が絞られている状態を示す平面図である。
なお、図６及び図７では、閉弁状態の可動弁体の閉弁位置をＰ４で示す、全開状態の可動弁体の開弁位置をＰ５で示し、閉止される間際の状態の可動弁体の開弁位置をＰ６で示している。
【００２６】
図３〜図７に示すように、下側ケーシング部材１４は、湯水混合水栓装置２の内部に上下方向に延びるように形成されている通湯路２ａ及び通水路２ｂの上端（下流側端部）に接続され、下側ケーシング部材１４の内部には、内部シール部材１３ｂ，１３ｃを介して固定弁体１２が固定されている。
また、図５〜図７に示すように、固定弁体１２の後側には、操作ハンドル４の操作位置Ｐ１〜Ｐ３に応じて、可動弁体１０の湯水連通部１０ａ内を通過した湯及び／又は水が通過する湯水混合路１２ｃが形成されている。
さらに、図４に示すように、下側ケーシング部材１４内の固定弁体１２の湯水混合路１２ｃの下方且つ下側ケーシング部材１４の後端部１４ａに隣接した部分には、固定弁体１２の湯水混合路１２ｃと連通する下側ケーシング部材１４内の湯水混合路１４ｂが形成されている。
【００２７】
また、図３〜図７に示すように、固定弁体１２に形成されている通湯路１２ａ及び通水路１２ｂのそれぞれは、湯水混合水栓装置２内の通湯路２ａ及び通水路２ｂのそれぞれと連通している。
さらに、図５に示すように、固定弁体１２の通湯路１２ａ及び通水路１２ｂが互いに異なる形状に形成され、且つ固定弁体１２の前後方向に延びる中心軸線Ａ２に対して互いに非対称に配置されている。
【００２８】
つぎに、図４、図６及び図７に示すように、固定弁体１２上には、可動弁体１０が摺動可能且つ回転可能に設けられている。
また、図４に示すように、可動弁体１０上には、可動弁体１０の湯水連通部１０ａ内を通過する湯水を整流化する整流部材１５（詳細は後述する）が取り付けられ、この整流部材１５を介して、可動弁体ガイド部材１６が固定されている。
さらに、図３及び図４に示すように、整流部材１５の上端部１５ａは、可動弁体ガイド部材１６の取付穴１６ａに挿入されて取り付けられた状態で、操作レバー保持部材１８を介して、操作レバー部材２０の接続部２０ａに接続されている。
また、図３及び図４に示す操作レバー上側接続部材２６は、操作レバー部材２０の上方に取り付けられ、この取り付けられた状態で操作ハンドル４の接続部４ａが上方から取り付けられるようになっている。そして、操作ハンドル４の操作による操作レバー部材２０の動きにより、操作レバー部材２０の接続部２０ａが移動し、整流部材１５、可動弁体ガイド部材１６、及び可動弁体１０が固定弁体１２に対して一体的に移動することができるようになっている。
【００２９】
さらに、図３に示すように、可動弁体１０の下面は、固定弁体１２の上面に沿って摺動する摺動面１０ｂとなっており、この摺動面１０ｂに対して垂直な面内で操作レバー部材２０を操作することにより、可動弁体１０の開閉動作が可能となっている。
【００３０】
つぎに、図１、図２、図５及び図６に示すように、操作ハンドル４及び操作レバー部材２０を水側操作領域Ｒ２内の湯水混合操作領域Ｒ３側の操作位置Ｐ３（湯水混合水栓装置１の正面位置）に設定し、可動弁体１０を全開させた状態では、可動弁体１０は、固定弁体１２に対して前方側に移動した位置にあり、可動弁体１０が固定弁体１２の通湯路１２ａを閉鎖した状態を維持し、固定弁体１２の通水路１２ｂのみを部分的に開放するようになっている。
また、この部分的に開放された固定弁体１２の通水路１２ｂから可動弁体１０の湯水連通部１０ｃを通過した水は、整流部材１５を通過し、固定弁体１２の湯水混合路１２ｃを経て下側ケーシング部材１４の湯水混合路１４ｂ（図４参照）に流れるようになっている。下側ケーシング部材１４の湯水混合路１４ｂから下流側へ流れた水は、湯水水栓装置２の内部を通過し、最終的には、スパウト６の吐水口６ａから水のみが吐水されるようになっている。
【００３１】
つぎに、図１、図２、図５及び図７に示すように、操作ハンドル４及び操作レバー部材２０を水側操作領域Ｒ２内の湯水混合操作領域Ｒ３側の操作位置Ｐ３（湯水混合水栓装置１の正面位置）に設定し、可動弁体１０を全開させた状態から閉弁する方向に移動させるように操作ハンドル４及び操作レバー部材２０を操作すると、可動弁体１０が摺動面１０ｂ内で回転することなく固定弁体１２に対して後方へ直進して移動し、固定弁体１２の通水路１２ｂが閉止される間際の状態となる。この固定弁体１２の通水路１２ｂが閉止される間際の状態では、固定弁体１２の通水路１２ｂの出口部Ｅ１の湯側端部１２ｄ付近の領域Ｓ１における流路が可動弁体１０により絞られている状態となっている。
【００３２】
つぎに、図５及び図７〜図９を参照して、固定弁体１２の通水路１２ｂの出口部Ｅ１における湯側端部１２ｄ付近の領域Ｓ１において、可動弁体１０により閉止される間際の状態で絞られる流路について説明する。
図８は、図５のＶＩＩＩ−ＶＩＩＩ線に沿った断面図であり、図９は、図８のＡ部拡大図である。
【００３３】
図５及び図７〜図９に示すように、固定弁体１２の通水路１２ｂにおける出口部Ｅ１の湯側端部１２ｄ付近の領域Ｓ１には、通水路１２ｂの流路断面積を変化させるように段状に段差部２８が形成されている。
この段差部２８は、その内側に位置する角部３０が面取りされて上流側から下流側に向けて流路断面積を拡大させる面取り部３２を備えている。この段差部２８の面取り部３２においては、可動弁体１０により固定弁体１２の通水路１２ｂが閉止される間際の状態で固定弁体１２の通水路１２ｂの出口部Ｅ１の湯側端部１２ｄ付近の領域Ｓ１の流路が絞られたとしても、面取り部３２により段差部２８の角部３０が面取りされている分だけ、面取り部３２がなく角部３０がある場合よりも、流路を拡大させることができるようになっている。したがって、この段差部２８の面取り部３２は、通過する水の流速の上昇を抑制する流速上昇抑制手段として機能することができ、水流の乱れや、キャビテーション等による異音が発生することを効果的に抑制することができるようになっている。
【００３４】
また、図９に示すように、段差部２８及び面取り部３２については、固定弁体１２の通水路１２ａの出口部Ｅ１から面取り部３２の入口部３２ａまでの深さ方向の最大距離Ｌ１が、面取り部３２の入口部３２ａから、段差部２８の出口部２８ａである通水路１２の出口部Ｅ１の湯側端部１２ｄまでの奥行方向の最大距離Ｌ２よりも大きくなる（Ｌ１＞Ｌ２）ように設定されている。これにより、通過する水の流速の上昇を抑制する流速上昇抑制手段として機能することができ、水流の乱れや、キャビテーション等による異音が発生することを効果的に抑制することができるようになっている。
【００３５】
さらに、面取り部３２の面取り量については、例えば、図９に示すように、面取り部３２における傾斜面３２ａの傾斜角度α、面取り部３２の深さｄ１と奥行長さｄ２については、α＝４５度、ｄ１＝ｄ２＝０．５ｍｍ（Ｃ０．５）に設定されている。
また、本実施形態では、段差部２８の面取り部３２が、下流側から上流側に向かって下り傾斜した傾斜面３２ｂを形成している形態であるが、傾斜面３２ｂの代わりに、下流側から上流側に向かって凹曲面状に面取りされたような形態であってもよい。
【００３６】
つぎに、図４及び図１０〜図１２を参照して、本実施形態の湯水混合バルブ装置１の霊流部材１５の詳細について説明する。
図１０は、本発明の第１実施形態による湯水混合バルブ装置の整流部材を斜め上方から見た斜視図であり、図１１は、本発明の第１実施形態による湯水混合バルブ装置の整流部材を示す正面図であり、図１２は、図１１のＸＩＩ−ＸＩＩ線に沿った断面図である。
【００３７】
まず、図４、図６及び図７に示すように、可動弁体１０は、固定弁体１２の通湯路１２ａ及び通水路１２ｂのそれぞれを通過した湯と水を連通させて固定弁体１２の湯水混合路１２ｃへ流出させる湯水連通部１０ａを備え、この湯水連通部１０ａには、通過する湯水を整流させる整流部材１５が設けられている。
図１０〜図１２に示すように、整流部材１５は、可動弁体１０の湯水連通部１０ａの上端部に取り付けられる取付部３４を備えている。
また、図１２に示すように、整流部材１５の取付部３４の内部には、可動弁体１０の湯水連通部１０ａと連通する内部流路３４ａが形成されている。
さらに、図１０〜図１２に示すように、整流部材１５は、取付部３４の下端部から可動弁体１０の湯水連通部１０ａの内部に向かって軸方向下方に突出し且つ可動弁体１０の湯水連通部１０ａに挿入可能に櫛型形状に形成された櫛型形状部３６を備えている。この櫛型形状部３６を形成する複数の櫛要素３６ａの各々は、周方向に所定間隔を置いて配置されており、固定弁体１２の通湯路１２ａ及び通水路１２ｂのそれぞれを通過して可動弁体１０の湯水連通部１０ａに流入した湯と水が、各櫛要素３６ａ同士の間を通過することにより整流化されるようになっており、乱れた水流に起因する異音の発生を効果的に抑制することができるようになっている。
【００３８】
また、図１２に示すように、整流部材１５の取付部３４の内部流路３４ａを形成する面３４ｂは、ほぼ球面状に形成されている。可動弁体１０の湯水連通部１０ａに流入し、櫛型形状部３６を通過して整流化された湯水は、ほぼ球面状に形成された内部流路３４ａを通過することにより、乱れた水流の発生が抑制された状態で固定弁体１２の湯水混合路１２ｃに流れることができるようになっている。
【００３９】
さらに、図４及び図１０〜図１２に示すように、整流部材１５は、取付部３４の上面３４ｃから上端部１５ａに亘って軸方向上方に筒状に突出し且つその外周面３８ａが可動弁体ガイド部材１６の取付穴１６ａの内周面と嵌合する嵌合部を形成する筒状部３８を備えている。
この筒状部３８は、内部流路３４ａから上方に間隔を置いて底面３８ｂを形成する有底筒状であり、筒状部２８の上端部が可動弁体ガイド部材１６の取付穴１６ａの下方側から挿入されることにより、筒状部３８の外周面３８ａと可動弁体ガイド部材１６の取付穴１６ａの内周面とが係合すると共に、整流部材１５の取付部３４の上面３４ｃが可動弁体ガイド部材１６の下面に係合することにより、整流部材１５が可動弁体ガイド部材１６に嵌合されるようになっている。
【００４０】
また、整流部材１５の筒状部３８の内周面３８ｃには、対をなして内側に突出し且つ上下方向に延びる複数のリブ４０が設けられている。これらのリブ４０は、整流部材１５が可動弁体ガイド部材１６に嵌合された状態で操作レバー部材２０の接続部２０ａが整流部材１５の筒状部３８に上方から挿入されると、リブ４０の突端面が、対向する操作レバー部材２０の接続部２０ａの外周面と弾性的に接触する接触部となっている。これによって、操作ハンドル４を操作して操作レバー部材２０が移動した際に、整流部材１５の筒状部３８と操作レバー部材２０の接続部２０ａとのがたつきを抑制し、操作レバー部材２０の操作性と整流部材１５の整流機能が損なわれないようにするようになっている。
【００４１】
つぎに、図１〜図１２を参照して、上述した本発明の第１実施形態による湯水混合バルブ装置１の動作（作用）について説明する。
なお、以下の湯水混合バルブ装置１の動作（作用）では、操作ハンドル４を使用頻度が高い湯水混合水栓装置２の正面側のほぼ中央の操作位置Ｐ３に設定し、湯水混合水栓装置２のスパウト６の吐水口６ａから水のみを吐水する場合についての説明に限定し、操作ハンドル４の他の操作位置Ｐ１，Ｐ２における動作（作用）については説明を省略する。
まず、湯水混合水栓装置２を使用する際、図１及び図２に示すように、湯水混合水栓装置２の操作ハンドル４をその中心軸線Ａ１回りに回転操作し、使用頻度が高い湯水混合水栓装置２の正面側のほぼ中央の操作位置Ｐ３に設定し、操作ハンドル４を矢印「開」の方向に操作した場合には、図３、図４及び図６に示すように、湯水混合バルブ装置１の操作レバー部材２０の操作により、操作レバー部材２０の接続部２０ａが取り付けられている整流部材１５の筒状部３８が前方へ移動する。
このとき、この整流部材１５と共に可動弁体ガイド部材１６が前方へ移動し、可動弁体１０が可動弁体ガイド部材１６と一体的に閉弁位置Ｐ４から開弁位置Ｐ５に固定弁体１２に対して前方へ移動し、可動弁体１０が全開状態となる。
また、可動弁体１０は、閉弁位置Ｐ４から開弁位置Ｐ５に移動する際、摺動面１０ｂ内で回転することなく、固定弁体１２の中心軸線Ａ２の軸線方向前方へ直進して移動し、固定弁体１２の通湯路１２ａを閉鎖した状態を維持しながら、固定弁体１２の通水路１２ｂのみを開放する。そして、固定弁体１２の通水路１２ｂから可動弁体１０の湯水連通部１０ａを通過した水は、固定弁体１２の湯水混合路１２ｃから下側ケーシング部材１４の湯水混合路１４ｂを経て、湯水混合水栓装置２のスパウト６の吐水口６ａから水のみが吐水される。
【００４２】
つぎに、図６に示す開弁位置Ｐ５の可動弁体１０の状態から、図１及び図２に示す操作ハンドル４を矢印「閉」の方向に操作し、図７に示すように、固定弁体１２の通水路１２ｂが可動弁体１０により閉止される間際の状態では、可動弁体１０は、開弁位置Ｐ５から、摺動面１０ｂ内で回転することなく後方へ直進して開弁位置Ｐ６まで移動する。このとき、可動弁体１０により、固定弁体１２の通湯路１２ａは閉鎖した状態を維持されながら、固定弁体１２の通水路１２ｂの出口部Ｅ１は、湯側端部１２ｄ付近の領域Ｓ１の流路が絞られた状態でわずかに開放されている。
このとき、上流側から固定弁体１２の通水路１２ｂ内に流れ込んでいる通水は、通水路１２ｂの段差部２８の面取り部３２の入口部３２ａから段差部２８を通過し、通水路１２ｂの出口部Ｅ１の湯側端部１２ｄ付近の領域Ｓ１の絞られた流路を流れ、可動弁体１０の湯水連通部１０ａへ流出される。
また、固定弁体１２の通水路１２ｂ内の水が段差部２８を通過する際、面取り部３２により段差部２８の角部３０が面取りされた分だけ、流路が拡大されているため、段差部２８の角部３０が面取りされた面取り部３２が流速上昇抑制手段として機能する。したがって、可動弁体１０が固定弁体１２の通水路１２ｂを開放している状態から閉止する間際の状態において、固定弁体１２の通水路１２ｂの出口部Ｅ１の湯側端部１２ｄ付近の領域Ｓ１の流路が可動弁体１０により絞られていても、面取り部３２により通水の流速の上昇が抑制され、水流の乱れや、キャビテーション等の発生が抑制され、これらの現象に起因する異音の発生が抑制される。
【００４３】
上述した本発明の第１実施形態による湯水混合バルブ装置１によれば、固定弁体１２の通水路１２ｂ内の水が段差部２８を通過する際、段差部２８の角部３０が面取りされた面取り部３２が流速上昇抑制手段として機能し、可動弁体１０が固定弁体１２の通水路１２ｂを閉止する間際の状態において、面取り部３２により段差部２８の角部３０が面取りされた分だけ、流路を拡大させることができる。したがって、可動弁体１０が固定弁体１２の通水路１２ｂを開放している状態から閉止する間際の状態において、固定弁体１２の通水路１２ｂ内を通過する水の流路が絞られて流速が上昇し、水流の乱れやキャビテーション等による異音が発生することを効果的に抑制することができる。
【００４４】
また、本実施形態による湯水混合バルブ装置１によれば、図９に示すように、流速上昇抑制手段として、固定弁体１２の通水路１２ｂの出口部Ｅ１から固定弁体１２の通水路１２ｂの段差部２８の面取り部３２の入口部３２ａまでの深さ方向の最大距離Ｌ１が、固定弁体１２の通水路１２ｂの段差部２８の面取り部３２の入口部３２ａから出口部２８ｂまでの奥行方向の最大距離Ｌ２よりも大きく設定されているため、可動弁体１０が固定弁体１２の通水路１２ｂを閉止する間際の状態において、流路を拡大させることができる。したがって、可動弁体１０が固定弁体１２の通水路１２ｂを開放している状態から閉止する間際の状態において、固定弁体１２の通水路１２ｂの出口部Ｅ１の湯側端部１２ｄ付近の領域Ｓ１の流路が可動弁体１０により絞られても、通水の流速が上昇するのを抑制し、水流の乱れや、キャビテーション等による異音が発生することを効果的に抑制することができる。
【００４５】
さらに、本実施形態による湯水混合バルブ装置１によれば、固定弁体１２の通湯路１２ａ及び通水路１２ｂのそれぞれを通過した湯と水が、可動弁体１０の湯水連通部１０ａで連通すると共に、整流部材１５により整流化された状態で固定弁体１２の湯水混合路１２ｃに流れるため、流速が上昇して水流の乱れや、キャビテーション等が発生することをより効果的に抑制することができる。したがって、このような現象に起因する異音の発生をより効果的に抑制することができる。
【００４６】
また、本実施形態による湯水混合バルブ装置１によれば、固定弁体１２の通湯路１２ａ及び通水路１２ｂのそれぞれを通過して可動弁体１０の湯水連通部１０ａに流入した湯と水が、整流部材１５の櫛型形状部３６を通過することにより整流化され、整流部材１５の取付部３４の内部流路３４ａを通過して固定弁体１２の湯水混合路１２ｃに流れるため、流速が上昇して乱れた水流の乱れや、キャビテーション等が発生することをさらに効果的に抑制することができる。したがって、このような現象に起因する異音の発生をさらに効果的に抑制することができる。
【００４７】
さらに、本実施形態による湯水混合バルブ装置１によれば、整流部材１５の取付部３４の内部流路３４ａを形成する面３４ｂがほぼ球面状に形成されているため、固定弁体１２の通湯路１２ａ及び通水路１２ｂのそれぞれを通過して可動弁体１０の湯水連通部１０ａに流入した湯と水が整流部材１５の取付部３４の内部流路３４ａを通過する際に、この内部流路３４ａのほぼ球面状に形成された面３４ｂにより、水流の乱れや、キャビテーション等が発生することをさらに効果的に抑制することができる。したがって、このような現象に起因する異音の発生をさらに効果的に抑制することができる。
【００４８】
また、本実施形態による湯水混合バルブ装置１によれば、可動弁体１０の移動をガイドする可動弁体ガイド部材１６の取付穴１６ａに整流部材１５の筒状部３８を嵌合し、この整流部材１５の筒状部３８の内周面３８ｃに操作レバー部材２０の接続部２０ａを挿入することにより、整流部材１５の筒状部３８の内周面３８ｃのリブ４０と操作レバー部材２０の接続部２０ａとを弾性的に接触させることができる。したがって、操作ハンドル４により操作レバー部材２０を操作した際、操作レバー部材２０の接続部２０ａと弾性的に接触している整流部材１５の筒状部３８の内周面３８ｃのリブ４０とのがたつきを抑制することできる。また、操作レバー部材２０を操作した際、整流部材１５ががたつくことなく操作レバー部材２０と共に移動することができるため、この整流部材１５の筒状部３８の外周面３８ａと取付穴１６ａが嵌合する可動弁体ガイド部材１６と、この可動弁体ガイド部材１６に取り付けられた可動弁体１０のそれぞれが一体的に操作ハンドル４及び操作レバー部材２０の操作に連動して精度よく移動することができる。
【００４９】
つぎに、図１３〜図１８を参照して、本発明の第２実施形態による湯水混合バルブ装置について説明する。
以下、本発明の第２実施形態による湯水混合バルブ装置１００が組み込まれる湯水混合水栓装置においては、上述した第１実施形態による湯水混合バルブ装置１が組み込まれる湯水混合水栓装置２と寸法が異なる以外の点では、同一の構造であるため、図１及び図２を参照し、同一部分については同一の符号を付し、これらの説明は省略する。
【００５０】
図１３は、本発明の第２実施形態による湯水混合バルブ装置を示す分解斜視図であり、図１４は、本発明の第２実施形態による湯水混合バルブ装置の固定弁体を示す平面図であり、図１５は、図１４のＸＶ−ＸＶ線に沿った断面図であり、図１６は、図１５のＢ部拡大図である。
また、図１７は、本発明の第２実施形態による湯水混合バルブ装置の固定弁体及び可動弁体において、操作ハンドル及び操作レバー部材を水側操作領域内の最も湯側の操作位置に設定し、可動弁体を全開させた状態を示す平面図である。
さらに、図１８は、本発明の第２実施形態による湯水混合バルブ装置の固定弁体及び可動弁体において、操作ハンドル及び操作レバー部材を水側操作領域内の最も湯側の操作位置に設定し、可動弁体を全開させた状態から閉弁する方向に移動させ、固定弁体の通水路が閉止される間際で流路が絞られている状態を示す平面図である。なお、図１７及び図１８では、閉弁状態の可動弁体の閉弁位置をＰ１０４で示す、全開状態の可動弁体の開弁位置をＰ１０５で示し、閉止される間際の状態の可動弁体の開弁位置をＰ１０６で示している。
【００５１】
まず、図１３に示すように、本発明の第２実施形態による湯水混合バルブ装置１００は、下方から上方に向って、下側ケーシング部材１１４、固定弁体１１２、可動弁体１１０、整流部材１１５、可動弁体ガイド部材１１６、操作レバー下側保持部材１１８、操作レバー部材１２０、シール部材１２２、上側ケーシング部材１２４及び操作レバー上側接続部材１２６を備えている。
これらの各部材は、第１実施形態の湯水混合バルブ装置１の下側ケーシング部材１４、固定弁体１２、可動弁体１０、整流部材１５、可動弁体ガイド部材１６、操作レバー下側保持部材１８、操作レバー部材２０、シール部材２２、上側ケーシング部材２４及び操作レバー上側接続部材２６の各部材と、機能及び作用が概ね共通しているため、本発明の第２実施形態による湯水混合バルブ装置１００の主要な可動弁体１１０及び固定弁体１１２と、第１実施形態による湯水混合バルブ装置１の可動弁体１０及び固定弁体１２との形態の相違点のみ説明し、その他の説明は省略する。
【００５２】
図１４、図１７及び図１８に示すように、本発明の第２実施形態による湯水混合バルブ装置１００においては、特に、固定弁体１１２が、平面視において、その湯水混合路１１２ｃが外側方向に開放されるように固定弁体１１２の外周の一部を切り欠いた形状に形成する切欠き部１５０を備えている。
同様に、図１７及び図１８に示すように、可動弁体１１０についても、平面視において、概ねＵ字状になるように形成され、その中央部に配置される湯水連通部１１０ａの外側の一部が開放されるように、可動弁体１１０の中央部から外周の一部が切り欠いた形状となっている。
これらにより、可動弁体１１０及び固定弁体１１２の全体を小型化することができると共に、可動弁体１１０の湯水連通部１１０ａ及び固定弁体１１２の湯水混合路１１２ｃを十分に確保して湯水の流量を確保することができるようになっている。
また、固定弁体１１２を小型化しても、固定弁体１１２の湯水混合路１１２ｃの流路を十分に確保することができるため、固定弁体１１２の小型化によって固定弁体１１２の湯水混合路１１２ｃの流路が狭くなり、流速が上昇し、水流の乱れや、キャビテーション等によって異音が発生することを効果的に抑制することができるようになっている。
【００５３】
また、図１４〜図１６に示すように、固定弁体１１２の段差部１２８及び面取り部１３２については、固定弁体１１２の通水路１１２ａの出口部Ｅ１０１から面取り部１３２の入口部１３２ａまでの深さ方向の最大距離Ｌ１０１が、面取り部１３２の入口部１３２ａから、段差部１２８の出口部１２８ａである通水路１１２の出口部Ｅ１０１の湯側端部１１２ｄまでの奥行方向の最大距離Ｌ１０２よりも大きくなる（Ｌ１０１＞Ｌ１０２）ように設定されている。さらに、面取り部１３２の傾斜面１３２ｂの上端部１３２ｃから段差部１２８の出口部１２８ａにかけて凹曲面状に形成されている。これらの段差部１２８の構造により、通過する水の流速の上昇を抑制する流速上昇抑制手段として機能することができ、水流の乱れや、キャビテーション等による異音が発生することを効果的に抑制することができるようになっている。
【００５４】
上述した本発明の第２実施形態による湯水混合バルブ装置１００によれば、湯水混合水栓装置２を使用する際、図１及び図２に示すように、湯水混合水栓装置２の操作ハンドル４をその中心軸線Ａ１回りに回転操作し、使用頻度が高い湯水混合水栓装置２の正面側のほぼ中央の操作位置Ｐ３に設定し、操作ハンドル４を矢印「開」の方向に操作した場合には、図１７に示すように、湯水混合バルブ装置１００の操作レバー部材１２０の操作により、可動弁体１１０が可動弁体ガイド部材１１６と一体的に閉弁位置Ｐ１０４から開弁位置Ｐ１０５に、摺動面１１０ｂ内で回転することなく、固定弁体１１２に対して中心軸線Ａ１０２の軸線方向前方へ直進して移動し、可動弁体１１０が全開状態となる。
つぎに、図１７に示す開弁位置Ｐ１０５の可動弁体１１０の状態から、図１及び図２に示す操作ハンドル４を矢印「閉」の方向に操作し、図１８に示すように、固定弁体１１２の通水路１１２ｂが開弁位置Ｐ１０６の可動弁体１１０により閉止される間際の状態では、上流側から固定弁体１１２の通水路１１２ｂ内に流れ込んでいる通水が、図１６に示す通水路１１２ｂの段差部１２８の面取り部１３２の入口部１３２ａから段差部１２８を通過し、通水路１１２ｂの出口部Ｅ１０１の湯側端部１１２ｄ付近の領域Ｓ１０１の絞られた流路を流れ、可動弁体１１０の湯水連通部１１０ａへ流出される。そして、可動弁体１１０の湯水連通部１１０ａを通過した水は、固定弁体１１２の湯水混合路１１２ｃから下側ケーシング部材１１４の湯水混合路１１４ｂを経て、湯水混合水栓装置２のスパウト６の吐水口６ａから水のみが吐水される。
【００５５】
また、固定弁体１１２の通水路１１２ｂ内の水が段差部１２８を通過する際、面取り部１３２により段差部１２８の面取り部１３２の面取りされた分だけ、流路が拡大されているため、段差部１２８の面取り部１３２が流速上昇抑制手段として機能する。したがって、可動弁体１１０が固定弁体１１２の通水路１１２ｂを開放している状態から閉止する間際の状態において、固定弁体１１２の通水路１１２ｂの出口部Ｅ１０１の湯側端部１１２ｄ付近の領域Ｓ１０１の流路が可動弁体１１０により絞られていても、面取り部１３２により通水の流速の上昇が抑制され、水流の乱れや、キャビテーション等の発生が抑制されるため、これらの現象に起因する異音の発生を抑制することができる。
【００５６】
つぎに、図１９を参照して、本発明の第３実施形態による湯水混合バルブ装置について説明する。
図１９は、本発明の第３実施形態による湯水混合バルブ装置の固定弁体の通水路における段差部を示す、図１６と同様な拡大図である。
図１９に示すように、本発明の第３実施形態による湯水混合バルブ装置においては、固定弁体２１２の段差部２２８が、上述した第２実施形態の湯水混合バルブ装置１００の固定弁体１１２の段差部１２８の面取り部１３２のようなものが設けられていない点で、第２実施形態の湯水混合バルブ装置１００と異なっている。
【００５７】
また、図１９に示すように、固定弁体２１２の段差部２２８については、固定弁体２１２の通水路２１２ｂの出口部Ｅ１０１から段差部２２８の入口部２２８ａまでの深さ方向の最大距離Ｌ２０１が、段差部２２８の入口部２２８ａから、段差部２２８の出口部２２８ｂである通水路２１２ｂの出口部Ｅ２０１の湯側端部２１２ｄまでの奥行方向の最大距離Ｌ２０２よりも大きくなる（Ｌ２０１＞Ｌ２０２）ように設定されている。
このような本発明の第３実施形態による湯水混合バルブ装置によれば、固定弁体２１２の通水路２１２ｂの出口部Ｅ１０１から段差部２２８の入口部２２８ａまでの深さ方向の最大距離Ｌ２０１が、段差部２２８の入口部２２８ａから、段差部２２８の出口部２２８ｂである通水路２１２ｂの出口部Ｅ２０１の湯側端部２１２ｄまでの奥行方向の最大距離Ｌ２０２よりも大きくなる（Ｌ２０１＞Ｌ２０２）ように設定される段差部２２８自体が、通過する水の流速の上昇を抑制する流速上昇抑制手段として機能することができるため、水流の乱れや、キャビテーション等による異音が発生することを効果的に抑制することができる。
【符号の説明】
【００５８】
１    湯水混合バルブ装置
２    湯水混合水栓装置
２ａ  通湯路
２ｂ  通水路
４    操作ハンドル
４ａ  操作ハンドルの接続部
６    スパウト
６ａ  吐水口
８    カウンター
１０    可動弁体
１０ａ  湯水連通部
１０ｂ  可動弁体の摺動面
１２    固定弁体
１２ａ  通湯路
１２ｂ  通水路
１２ｃ  湯水混合路
１２ｄ  通水路の出口部の湯側端部
１３ａ  下側シール部材
１３ｂ  内部シール部材
１３ｃ  内部シール部材
１４    下側ケーシング部材（ケーシング）
１４ａ  後端部
１４ｂ  湯水混合路
１５    整流部材
１５ａ  整流部材の上端部
１６    可動弁体ガイド部材（ガイド部材）
１６ａ  取付穴（嵌合穴）
１８    操作レバー保持部材
２０    操作レバー部材（操作部）
２０ａ  接続部（操作部の一端部）
２２    シール部材
２４    上側ケーシング部材（ケーシング）
２６    操作レバー上側接続部材（操作部）
２８    段差部（流速上昇抑制手段）
２８ａ  段差部の出口部
３０    段差部の角部
３２    段差部の面取り部（流速上昇抑制手段）
３２ａ  面取り部の入口部
３２ｂ  面取り部の傾斜面
３４    整流部材の取付部
３４ａ  整流部材の取付部の内部流路
３４ｂ  整流部材の取付部の内部流路を形成する面
３４ｃ  整流部材の取付部の上面
３６    整流部材の櫛型形状部
３６ａ  櫛要素
３８    整流部材の筒状部（整流部材の嵌合部）
３８ａ  整流部材の筒状部の外周面
３８ｂ  整流部材の筒状部の底面
３８ｃ  整流部材の筒状部の内周面
４０    リブ（接触部）
【図１】
2015124819.tif 000003
【図２】
2015124819.tif 000004
【図３】
2015124819.tif 000005
【図４】
2015124819.tif 000006
【図５】
2015124819.tif 000007
【図６】
2015124819.tif 000008
【図７】
2015124819.tif 000009
【図８】
2015124819.tif 000010
【図９】
2015124819.tif 000011
【図１０】
2015124819.tif 000012
【図１１】
2015124819.tif 000013
【図１２】
2015124819.tif 000014
【図１３】
2015124819.tif 000015
【図１４】
2015124819.tif 000016
【図１５】
2015124819.tif 000017
【図１６】
2015124819.tif 000018
【図１７】
2015124819.tif 000019
【図１８】
2015124819.tif 000020
【図１９】
2015124819.tif 000021